【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
トレイ前部、前記トレイ前部の反対側に位置するトレイ後部、および前記トレイ前部と前記トレイ後部の間のトレイ側面を有するトレイと、
前記トレイ前部と前記トレイ後部の間の比較的等距離に配置される中間トレイセンサと、
前記トレイに接続する摺動板と、
前記トレイに接続し、前記トレイ後部よりも前記トレイ前部に比較的近く配置される前方媒体センサと、
前記中間トレイセンサ、前記前方媒体センサ、および前記摺動板に操作可能に接続するプロセッサと、を含み、
トレイフロアが、前方スタック領域を含んで、前記中間トレイセンサと前記トレイ前部の間に前方の媒体スタックを保持し、かつ、予備スタック領域を含んで、前記中間トレイセンサと前記トレイ後部の間に予備の媒体スタックを保持し、
前記トレイは、前記前方スタック領域と前記予備スタック領域の間に仕切り板を必要とせず、
前記プロセッサは、前記前方媒体センサが前記前方スタック領域内に媒体を検知しなくなると、前記トレイ後部から前記トレイ前部に向けて前記摺動板を前方に移動させ、
前記プロセッサは、前記中間トレイセンサが前記前方スタック領域と前記予備スタック領域の間に配置された媒体を検知すると、前記トレイ後部から前記トレイ前部に向けて前記摺動板を前方に移動させ、
前記摺動板を前記前方に移動させている間、前記プロセッサは、前記中間トレイセンサからの入力により、前記中間トレイセンサを通過して移動する前記予備の媒体スタックを検知し、
前記摺動板を前記前方スタック領域内へ移動させた後、前記プロセッサは、前記予備の媒体スタックが前記前方スタック領域内に完全に移動することを前記中間トレイセンサが検知すると、前記トレイ前部から前記トレイ後部に向けて前記摺動板を後方に移動させ、
前記摺動板を移動させている間に、
前記摺動板が前記前方スタック領域内に移動し、前記前方媒体センサが媒体を検知しない場合、
前記摺動板が前記予備の媒体スタックを、前記前方スタック領域内に完全に移動できない場合、
前記摺動板が前記予備スタック領域を通って、前記後方に移動できない場合のうちの少なくとも１つにより、前記プロセッサは、アラームを発する、シート供給装置。
【請求項２】
前記中間トレイセンサは、突起部を含み、前記突起部は、前記突起部が前記媒体に動かされることにより、前記媒体の存在を検知する、請求項１に記載のシート供給装置。
【請求項３】
前記前方スタック領域に、媒体エレベータがさらに含まれる、請求項１に記載のシート供給装置。
【請求項４】
前記プロセッサは、前記エレベータが下部の位置に下がるまで、前記摺動板の前記前方への移動を休止させる、請求項３に記載のシート供給装置。
【請求項５】
前記摺動板の移動範囲は、前記前方スタック領域から、前記トレイ後部と前記予備スタック領域の間の任意の位置の間である、請求項１に記載のシート供給装置。
【請求項６】
トレイ前部、前記トレイ前部の反対側に位置するトレイ後部、前記トレイ前部と前記トレイ後部の間の第１のトレイ側面、前記トレイ前部と前記トレイ後部の間で前記第１のトレイ側面の反対側に位置する第２のトレイ側面、および前記トレイ前部、前記トレイ後部、前記第１のトレイ側面、および前記第２のトレイ側面に接続するトレイフロアを有するトレイと、
前記トレイフロアに接続し、前記第１のトレイ側面と平行で、前記第２のトレイ側面よりも前記第１のトレイ側面に比較的近く配置される第１の側面ガイドと、
前記トレイフロアに接続し、前記第２のトレイ側面と平行で、前記第１のトレイ側面よりも前記第２のトレイ側面に比較的近く配置される第２の側面ガイドと、
前記第２の側面ガイドに接続し、前記トレイ前部と前記トレイ後部の間の比較的等距離に配置される中間トレイセンサと、
前記トレイフロアに接続し、前記トレイ前部よりも前記トレイ後部に比較的近く配置される摺動板と、
前記トレイフロアに接続し、前記トレイ後部よりも前記トレイ前部に比較的近く配置される前方媒体センサと、
前記中間トレイセンサ、前記前方媒体センサ、および前記摺動板に操作可能に接続するプロセッサと、を含み、
前記トレイフロアが、前方スタック領域を含んで、前記中間トレイセンサと前記トレイ前部の間に前方の媒体スタックを保持し、かつ、予備スタック領域を含んで、前記中間トレイセンサと前記トレイ後部の間に予備の媒体スタックを保持し、
前記トレイは、前記前方スタック領域と前記予備スタック領域の間に仕切り板を必要とせず、
前記プロセッサは、前記前方媒体センサが前記前方スタック領域内に媒体を検知しなくなると、前記トレイ後部から前記トレイ前部に向けて前記摺動板を前方に移動させ、
前記プロセッサは、前記中間トレイセンサが前記前方スタック領域と前記予備スタック領域の間に配置された媒体を検知すると、前記トレイ後部から前記トレイ前部に向けて前記摺動板を前方に移動させ、
前記摺動板を前記前方に移動させている間、前記プロセッサは、前記中間トレイセンサからの入力により、前記中間トレイセンサを通過して移動する前記予備の媒体スタックを検知し、
前記摺動板を前記前方スタック領域内へ移動させた後、前記プロセッサは、前記予備の媒体スタックが前記前方スタック領域内に完全に移動することを前記中間トレイセンサが検知すると、前記トレイ前部から前記トレイ後部に向けて前記摺動板を後方に移動させ、
前記摺動板を移動させている間に、
前記摺動板が前記前方スタック領域内に移動し、前記前方媒体センサが媒体を検知しない場合、
前記摺動板が前記予備の媒体スタックを、前記前方スタック領域内に完全に移動できない場合、
前記摺動板が前記予備スタック領域を通って、前記後方に移動できない場合のうちの少なくとも１つにより、前記プロセッサは、アラームを発する、シート供給装置。
【請求項７】
前記中間トレイセンサは、突起部を含み、前記突起部は、前記突起部が前記媒体に動かされることにより、前記媒体の存在を検知する、請求項６に記載のシート供給装置。
【請求項８】
前記前方スタック領域に、媒体エレベータがさらに含まれる、請求項６に記載のシート供給装置。
【請求項９】
前記プロセッサは、前記エレベータが下部の位置に下がるまで、前記摺動板の前記前方への移動を休止させる、請求項８に記載のシート供給装置。
【請求項１０】
前記摺動板の移動範囲は、前記前方スタック領域から、前記トレイ後部と前記予備スタック領域の間の任意の位置の間である、請求項６に記載のシート供給装置。
【請求項１１】
印刷エンジンと、
媒体のシートを前記印刷エンジンに供給する媒体経路と、
前記媒体のシートを前記シート経路に供給するトレイであって、トレイ前部、前記トレイ前部の反対側に位置するトレイ後部、および前記トレイ前部と前記トレイ後部の間のトレイ側面を有するトレイと、
前記トレイ前部と前記トレイ後部の間の比較的等距離に配置される中間トレイセンサと、
前記トレイに接続する摺動板と、
前記トレイに接続し、前記トレイ後部よりも前記トレイ前部に比較的近く配置される前方媒体センサと、
前記中間トレイセンサ、前記前方媒体センサ、および前記摺動板に操作可能に接続するプロセッサと、を含み、
トレイフロアが、前方スタック領域を含んで、前記中間トレイセンサと前記トレイ前部の間に前方の媒体スタックを保持し、かつ、予備スタック領域を含んで、前記中間トレイセンサと前記トレイ後部の間に予備の媒体スタックを保持し、
前記トレイは、前記前方スタック領域と前記予備スタック領域の間に仕切り板を必要とせず、
前記プロセッサは、前記前方媒体センサが前記前方スタック領域内に媒体を検知しなくなると、前記トレイ後部から前記トレイ前部に向けて前記摺動板を前方に移動させ、
前記プロセッサは、前記中間トレイセンサが前記前方スタック領域と前記予備スタック領域の間に配置された媒体を検知すると、前記トレイ後部から前記トレイ前部に向けて前記摺動板を前方に移動させ、
前記摺動板を移動させている間、前記プロセッサは、前記中間トレイセンサからの入力により、前記中間トレイセンサを通過して移動する前記予備の媒体スタックを検知し、
前記摺動板を前記前方スタック領域内へ移動させた後、前記プロセッサは、前記予備の媒体スタックが前記前方スタック領域内に完全に移動することを前記中間トレイセンサが検知すると、前記トレイ前部から前記トレイ後部に向けて前記摺動板を後方に移動させ、
前記摺動板を移動させている間に、
前記摺動板が前記前方スタック領域内に移動し、前記前方媒体センサが媒体を検知しない場合、
前記摺動板が前記予備の媒体スタックを、前記前方スタック領域内に完全に移動できない場合、
前記摺動板が前記予備スタック領域を通って、前記後方に移動できない場合のうちの少なくとも１つにより、前記プロセッサはアラームを発する、印刷装置。
【請求項１２】
前記中間トレイセンサは、突起部を含み、前記突起部は、前記突起部が前記媒体に動かされることにより、前記媒体の存在を検知する、請求項１１に記載の印刷装置。
【請求項１３】
前記前方スタック領域に、媒体エレベータがさらに含まれる、請求項１１に記載の印刷装置。
【請求項１４】
前記プロセッサは、前記エレベータが下部の位置に下がるまで、前記摺動板の前記前方への移動を休止させる、請求項１３に記載の印刷装置。
【請求項１５】
前記摺動板の移動範囲は、前記前方スタック領域から、前記トレイ後部と前記予備スタック領域の間の任意の位置の間である、請求項１１に記載の印刷装置。
【請求項１６】
シート供給装置を制御する方法であって、前記シート供給装置が、
トレイ前部、前記トレイ前部の反対側に位置するトレイ後部、および前記トレイ前部と前記トレイ後部の間のトレイ側面を有するトレイと、
前記トレイ前部と前記トレイ後部の間の比較的等距離に配置される中間トレイセンサと、
前記トレイに接続する摺動板と、
前記トレイに接続し、前記トレイ後部よりも前記トレイ前部に比較的近く配置される前方媒体センサと、
前記中間トレイセンサ、前記前方媒体センサ、および前記摺動板に操作可能に接続するプロセッサと、を含み、
トレイフロアが、前方スタック領域を含んで、前記中間トレイセンサと前記トレイ前部の間に前方の媒体スタックを保持し、かつ、予備スタック領域を含んで、前記中間トレイセンサと前記トレイ後部の間に予備の媒体スタックを保持し、
前記トレイは、前記前方スタック領域と前記予備スタック領域の間に仕切り板を必要とせず、
前記方法には、
前記前方媒体センサが前記前方スタック領域内に媒体を検知しなくなると、前記プロセッサを用いて、前記トレイ後部から前記トレイ前部に向けて前記摺動板を前方に自動的に移動させるステップと、
前記中間トレイセンサが前記前方スタック領域と前記予備スタック領域の間に配置された媒体を検知すると、前記プロセッサを用いて、前記トレイ後部から前記トレイ前部に向けて前記摺動板を前方に自動的に移動させるステップと、
前記摺動板を前記前方に移動させている間、前記プロセッサを用いて、前記中間トレイセンサからの入力により、前記中間トレイセンサを通過して移動する前記予備の媒体スタックを自動的に検知するステップと、
前記摺動板を前記前方スタック領域内へ移動させた後、前記予備の媒体スタックが前記前方スタック領域内に完全に移動することを前記中間トレイセンサが検知すると、前記プロセッサを用いて、前記トレイ前部から前記トレイ後部に向けて前記摺動板を後方に自動的に移動させるステップと、
前記摺動板を移動させている間に、
前記摺動板が前記前方スタック領域内に移動し、前記前方媒体センサが媒体を検知しない場合、
前記摺動板が前記予備の媒体スタックを、前記前方スタック領域内に完全に移動できない場合、
前記摺動板が前記予備スタック領域を通って、前記後方に移動できない場合のうちの少なくとも１つにより、前記プロセッサを用いて自動的にアラームを発するステップと、を含む方法。
【請求項１７】
前記中間トレイセンサは、突起部を含み、前記方法はさらに、前記突起部が前記媒体に動かされることにより、前記媒体の存在を検知することを含む、請求項１６に記載のシート供給装置を制御する方法。
【請求項１８】
前記シート供給装置には、前記前方スタック領域に媒体エレベータがさらに含まれる、請求項１６に記載のシート供給装置を制御する方法。
【請求項１９】
前記方法は、前記プロセッサを用いて、前記エレベータが下部の位置に下がるまで、前記摺動板の前記前方への移動を休止させることをさらに含む、請求項１８に記載のシート供給装置を制御する方法。
【請求項２０】
前記摺動板の移動範囲は、前記前方スタック領域から、前記トレイ後部と前記予備スタック領域の間の任意の位置の間である、請求項１６に記載のシート供給装置を制御する方法。